(57)【特許請求の範囲】
【請求項１】
ハーフプレキャスト床版とその上部に現場打ちされたコンクリートとが構造的に結合された合成スラブを構築するにあたり、ハーフプレキャスト床版のスパン方向両端に後打ち施工帯を残存させた状態でコンクリートを打設することにより、施工途中における合成スラブ端部をピン接合又は半剛接合とし、しかる後、前記後打ち施工帯にコンクリートを打設することにより、合成スラブ端部を剛接合とすることを特徴とする合成スラブの構築方法。
【請求項２】
支保工に支持されたハーフプレキャスト床版に上方への初期むくりを付与しておき、ハーフプレキャスト床版のスパン方向両端に後打ち施工帯を残存させた状態でコンクリートを打設することにより、施工途中における合成スラブ端部をピン接合又は半剛接合とし、前記コンクリートに所定の強度が発現した時点で、支保工によるサポート荷重を除荷することによって、自重による合成スラブの変形を発生させた後、再度、合成スラブを支保工で支持し、前記後打ち施工帯にコンクリートを打設して、合成スラブ端部を剛接合とすることを特徴とする請求項１に記載の合成スラブの構築方法。
【請求項３】
ハーフプレキャスト床版として、スパン方向に埋設したＰＣ鋼材によりプレテンション方式によるプレストレスが導入されているものを用いることを特徴とする請求項１又は２に記載の合成スラブの構築方法。
【請求項４】
ハーフプレキャスト床版上に中空部成形用埋め込み型枠を設置した状態で、コンクリートを打設することを特徴とする請求項１〜３の何れかに記載の合成スラブの構築方法。
【請求項５】
ハーフプレキャスト床版として、予め中空部が形成されているものを用いることを特徴とする請求項１〜４の何れかに記載の合成スラブの構築方法。
【請求項６】
ハーフプレキャスト床版として、スパン方向のリブが設けられているものを用いることを特徴とする請求項１〜５の何れかに記載の合成スラブの構築方法。
【発明の詳細な説明】
【技術分野】
【０００１】
本発明は、ハーフプレキャスト床版とその上部に現場打ちされたコンクリートとが構造的に結合された合成スラブの構築方法に関し、詳しくは、長大スパンの合成スラブを、スラブのたわみ（特にクリープ変形）を抑制して経済的に構築できる方法に関する。
【背景技術】
【０００２】
ハーフプレキャスト床版とその上部に現場打ちされたコンクリートとが構造的に結合された合成スラブの長大スパン化を図る従来技術としては、特許文献１、２に見られるように、ハーフプレキャスト床版のコンクリート部分にＨ形鋼の下半分を埋設する、ハーフプレキャスト床版をリブ付きに成形する、ＰＣ鋼材によりプレストレスを導入する等の補強手段により、ハーフプレキャスト床版自体の断面性能を向上すること、及び、ハーフプレキャスト床版のコンクリート部分やハーフプレキャスト床版の上部に現場打ちされるコンクリートに中空部を形成する等して、合成スラブを軽量化することが知られている。
【０００３】
しかし、建物の鉄筋コンクリート造スラブのような両端固定の架構においては、スパン端部に、自重と、仕上げ荷重及び積載荷重の総和に起因する応力（端部モーメント）が生じ、スパン端部の応力はスパンが大きくなるにつれ、スパンの二乗に比例して増大する。そのため、長大スパンの合成フラットスラブを構築すると、スパン端部に生じる応力が極端に大きくなり、この応力に対処するためには、スラブ厚を増し、スラブ端部の鉄筋量を増すなどの対策が講じられることになる。
【０００４】
また、合成スラブの重量および端部応力が増すことによって、合成スラブを支持する壁、柱等の鉛直部材に生じる応力も必然的に大きくなるため、合成スラブと同様、壁厚を増す、大量の配筋をするなどの対策が必要となる。
【０００５】
従って、長大スパンの合成スラブを構築する場合、スパン端部の応力が増大することに対する上記のような一般的な対処の仕方では、非常に不経済であり、しかも、建物重量が大きくなることによる耐震性能の低下が懸念される。また、長大スパンスラブにおいては、端部の曲げ応力が大きいため、スラブ端部がひび割れる可能性がある。そのため、端部の評価が難しく、想定外の変形が生じる危険性を有する。
【０００６】
尚、鉄骨造の大梁を対象とする技術ではあるが、鉄骨梁の端部応力を低減するために、梁端部を柱にボルト連結することによってピン接合状態とし、この状態で、デッキプレートの敷設、スラブ配筋、コンクリート打設等の工程を進め、スラブの完成後、梁端部を柱に溶接することによって剛接合状態とする柱と鉄骨梁の接合方法が、特許文献３によって提案されている。
【０００７】
この従来技術は、鉄骨梁の端部のウエブを柱に設けられたガセットプレートにボルト締めしてピン接合とし、続いて梁端部の上下フランジを柱に突合せ溶接して剛接合し、しかる後、スラブを構築するという一般的な施工手順を、ボルト締め、スラブ構築、突合せ溶接の順序に変更するだけで、鉄骨梁の端部応力を低減できるという利点を有している。
【０００８】
しかしながら、ハーフプレキャスト床版とその上部に現場打ちされたコンクリートとが構造的に結合された合成スラブは、大梁の無い鉄筋コンクリート造スラブであり、元々、鉄骨梁のボルト締めや溶接といった工程が存在しないため、上記の従来技術を合成フラットスラブの構築に適用する訳にはいかない。
【０００９】
【特許文献１】特開２００２−３８６４２号公報
【特許文献２】特開平１０−１１０４９８号公報
【特許文献３】特開平８−２１８６４０号公報
【発明の開示】
【発明が解決しようとする課題】
【００１０】
本発明は、上記の問題点を踏まえてなされたものであって、その目的とするところは、長大スパンの合成スラブを経済的に構築できるようにすることにある。
【課題を解決するための手段】
【００１１】
上記の目的を達成するために本発明が講じた技術的手段は、次の通りである。即ち、請求項１に記載の発明による合成スラブの構築方法は、ハーフプレキャスト床版とその上部に現場打ちされたコンクリートとが構造的に結合された合成スラブを構築するにあたり、ハーフプレキャスト床版のスパン方向両端に後打ち施工帯を残存させた状態でコンクリートを打設することにより、施工途中における合成スラブ端部をピン接合又は半剛接合とし、しかる後、前記後打ち施工帯にコンクリートを打設することにより、合成スラブ端部を剛接合とすることを特徴としている。
【００１２】
請求項２に記載の発明は、請求項１に記載の合成フラットスラブの構築方法であって、支保工に支持されたハーフプレキャスト床版に上方への初期むくりを付与しておき、ハーフプレキャスト床版のスパン方向両端に後打ち施工帯を残存させた状態でコンクリートを打設することにより、施工途中における合成スラブ端部をピン接合又は半剛接合とし、前記コンクリートに所定の強度が発現した時点で、支保工によるサポート荷重を除荷することによって、自重による合成スラブの変形を発生させた後、再度、合成スラブを支保工で支持し、前記後打ち施工帯にコンクリートを打設して、合成スラブ端部を剛接合とすることを特徴としている。
【００１３】
請求項３に記載の発明は、請求項１又は２に記載の合成スラブの構築方法であって、ハーフプレキャスト床版として、スパン方向に埋設したＰＣ鋼材によりプレテンション方式によるプレストレスが導入されているものを用いることを特徴としている。
【００１４】
請求項４に記載の発明は、請求項１〜３の何れかに記載の合成スラブの構築方法であって、ハーフプレキャスト床版上に中空部成形用埋め込み型枠を設置した状態で、コンクリートを打設することを特徴としている。
【００１５】
請求項５に記載の発明は、請求項１〜４の何れかに記載の合成スラブの構築方法であって、ハーフプレキャスト床版として、予め中空部が形成されているものを用いることを特徴としている。
【００１６】
請求項６に記載の発明は、請求項１〜５の何れかに記載の合成スラブの構築方法であって、ハーフプレキャスト床版として、スパン方向のリブが設けられているものを用いることを特徴としている。
【発明の効果】
【００１７】
請求項１に記載の発明によれば、長大スパンの合成スラブを経済的に構築できる。即ち、ハーフプレキャスト床版と現場打ちコンクリートによる長大スパンの合成スラブを構築する場合、在来工法であれば、スパン端部に、自重と、仕上げ荷重及び積載荷重の総和に起因する応力（端部モーメント）が生じるので、スパン端部に生じる応力が大きくなるが、本発明によれば、ハーフプレキャスト床版のスパン方向両端に後打ち施工帯を残存させた状態でコンクリートを打設するので、鉄筋コンクリート造の合成スラブであるにもかか
わらず、施工途中における合成スラブ端部がピン接合又は半剛接合となり、自重に対しては端部ピン又は半剛接合で構造的に成立させるので、端部モーメントが原理的にゼロあるいは固定度に応じた応力に低減されることになる。
【００１８】
そして、この状態を経た後、前記後打ち施工帯にコンクリートを打設して、合成スラブ端部を剛接合とするので、施工完了後の合成スラブ端部に生じる応力は、仕上げ荷重と積載荷重に起因するものだけになり、スパン端部の応力が大幅に低減される。
【００１９】
従って、長大スパンであるにもかかわらずスラブ厚の薄い軽量な合成スラブを構築できることになる。また、合成スラブが軽量化されると共に、スパン端部の応力が低減されることによって、合成スラブを支持する壁、柱等の鉛直部材に生じる応力も小さくなり、これらの補強も軽微なもので済むことになる。これらの結果として、長大スパンの合成スラブを経済的に構築できるのであり、建物重量が大きくなることによる耐震性能の低下という問題も回避できることになる。また、本発明によれば、スラブ端部の評価が明解であり、確実にたわみを制御できる。即ち、合成スラブ端部をピン接合又は半剛接合として、スパン端部の応力を低減すると、スパン中央部にモーメントが大きい部分をもってくることになるが、ハーフプレキャスト床版として、プレストレスが導入されたものを用いることにより、スパン中央部のひび割れを抑制して、剛性低下を制御できることになる。
【００２０】
請求項２に記載の発明によれば、支保工の除荷によりクリープ変形を早期に進展させるようにしたので、仕上げ工事後のたわみ（長期クリープ変形）を小さくでき、仕上げ工事後のたわみによるひび割れ等を抑制できる。即ち、ハーフプレキャスト床版のスパン方向両端に後打ち施工帯を設けることにより、自重に対して両端ピン又は半剛接合で構造的に成立させると、スラブ端部の固定度が低減し、スラブのスパン中央部のたわみが大きくなるが、請求項２に記載の発明によれば、支保工に支持されたハーフプレキャスト床版に上方への初期むくりを付与しておき、自重に対して両端ピン又は半剛接合で構造的に成立させた後、支保工によるサポート荷重を除荷することによって、スラブの弾性たわみを生じさせ、この状態を維持することで、自重に起因するクリープ変形の大部分を進展させることができる。
【００２１】
そして、上層階のスラブコンクリート打設時の重量を支持するために、再度、合成スラブを支保工でスパン中央部を突き上げないように支持した後、前記後打ち施工帯にコンクリートを打設して、合成スラブ端部を剛接合とした両端固定の架構を成立させ、しかる後、最終的に支保工を撤去することになる。従って、このときのクリープ変形は、仕上げ荷重と積載荷重に起因するものだけとなり、仕上げ工事開始後のたわみ（長期クリープ変形）を低減することができるのである。
【００２２】
また、一旦、支保工の除荷を行い、各階で構造的に成立させるため、支保工で多層受けしても、上層スラブ重量が最下層の支保工に累積しない。従って、支保工を早期に撤去して、仕上げ開始時期を早めることが可能となる。
【００２３】
尚、ハーフプレキャスト床版としては、請求項３に記載の発明のように、スパン方向に埋設したＰＣ鋼材によりプレテンション方式によるプレストレスが導入されているものを用いることが、たわみの抑制、鉄筋量の低減及びそれによる合成スラブの軽量化を図る上で望ましい。また、請求項４〜５に記載の発明のように、ハーフプレキャスト床版上に中空部成形用埋め込み型枠を設置した状態で、コンクリートを打設したり、ハーフプレキャスト床版として、予め中空部が形成されているものを用いたり、スパン方向のリブが設けられているものを用いることは、合成スラブの軽量化を図る上で望ましい。
【発明を実施するための最良の形態】
【００２４】
以下、本発明の実施形態を図面に基づいて説明する。図１は、本発明に係る合成スラブの構築方法に用いられるハーフプレキャスト床版１の一例を示す。図２は、ハーフプレキャスト床版１とその上部に現場打ちされたコンクリート２とが構造的に結合された長大スパンの合成スラブ３のスパン方向と直角な断面形状を示す。
【００２５】
前記ハーフプレキャスト床版１は、短辺Ｌ１が１〜２ｍ程度、長辺Ｌ２が１２〜１４ｍ程度の矩形状に成形されている。ハーフプレキャスト床版１のコンクリート部分には、ＰＣ鋼線、ＰＣ鋼より線、ＰＣ鋼棒等のＰＣ鋼材４が長手方向（スパン方向）に埋設され、プレテンション方式によるプレストレスが導入されている。また、ハーフプレキャスト床版１のコンクリート部分の上面には長手方向（スパン方向）の平行なリブ５が全長にわたって形成され、リブ５，５間に形成される溝に中空部成形用埋め込み型枠６を嵌め込んで敷設するように構成されている。
【００２６】
次に、本発明に係る合成スラブの構築方法を説明する。先ず、図３に示すように、合成スラブを支持する壁を構築するための壁型枠７と、パイプサポート等によるスラブ下の支保工８を組み立て、支保工８の上にハーフプレキャスト床版１を敷設する。支保工８はスパン中央側に位置するものほど高くして組み立て、支保工８に支持されたハーフプレキャスト床版１に上方への初期むくりを付与しておく。ハーフプレキャスト床版１のスパン方向両端には、金網、ラス型枠等による打ち継ぎ型枠９を設置しておく。また、スラブ上端筋の両端は曲げ上げ、後述する後打ち施工帯Ａ，Ａのコンクリート打設までスラブ上端筋に応力を伝えないようにしておく。
【００２７】
尚、壁型枠７内には壁筋が配筋されており、ハーフプレキャスト床版１の上部にはスラブ上端主筋（図２に示す１０ａ）、継ぎ目補強筋（図２に示す１１）、配力筋（図２に示す１０ｂと図１に示す１２）等が配筋されているが、図３では、これらの図示を省略してある。
【００２８】
次いで、図４に示すように、ハーフプレキャスト床版１のスパン方向両端に後打ち施工帯Ａ，Ａを残存させた状態でスラブ用のコンクリート２及び壁コンクリート１３を打設する。これにより、スラブ端部の固定度が低減し、施工途中における合成スラブ端部がピン接合となる。尚、完全なピン接合とする代わりに、合成スラブ端部を言わば半剛接合として、端部応力を所望の範囲に制御する場合は、図１１に示すように、前述した後打ち施工帯Ａ，Ａの一部に先行してコンクリート２ａを打設したり、図１２に示すように、後打ち施工帯Ａ，Ａを仕口からスパン中央側に適当距離ずらして設けることになる。後者の場合、配筋の多い仕口より結合用後打ちコンクリートの打設が容易になる利点もある。
【００２９】
前記コンクリート２に所定の強度が発現した時点で、換言すれば、ハーフプレキャスト床版とその上部に現場打ちされたコンクリートとが構造的に結合され、合成スラブとしてある程度機能する状態になった時点で、図５に示すように、端部以外の支保工８によるサポート荷重を除荷（開放）することによって、自重による合成スラブ３の変形を発生させる。即ち、自重に対して両端ピン又は半剛接合で構造的に成立させた後、支保工８によるサポート荷重を除荷することによって、スラブの弾性たわみを生じさせ、この状態を一定期間（例えば、一週間）維持することで、自重に起因するクリープ変形の大部分を進展させる。支保工８の除荷を行う際のコンクリート２の強度は、任意に設定できるが、設計基準強度の６０％〜７０％であることが工程上、望ましい。
尚、支保工８を設けず、ハーフプレキャスト床版１の強度のみで、上部の現場打ちコンクリート自重を支持する方法では、支保工８をなくすことができる利点がある一方、ハーフプレキャスト床版１に作用する応力が大きくなるため、ハーフプレキャスト床版中央下面にひび割れが生じる恐れがある。また、ハーフプレキャスト床版１だけでは、剛性が小さいため変形も大きくなる。そのため、ハーフプレキャスト床版１自体の強度や剛性を向
上させることが必要となる。この点、本発明では、上部のコンクリート２を打設する際に、ハーフプレキャスト床版１を支保工８で支持し、上部の現場打ちコンクリートの強度がある程度発現して合成効果が生じてから支保工８を一旦解除することにより、いわば現場にてハーフプレキャスト床版１の強度や剛性を向上させてから、自重による変形を生じさせている。これにより、初期のむくりを小さく抑えられたり、ハーフプレキャスト床版１に生じるひび割れを回避することができる。
【００３０】
自重による合成スラブ３の変形を発生させた後、図６に示すように、再度、合成スラブ３を支保工８でスパン中央部を突き上げないように支持し、前記後打ち施工帯Ａ，Ａに結合用のコンクリート２０を打設して、スラブ端部と壁を一体化し、合成スラブ端部を剛接合とする。
【００３１】
しかる後、図７〜図１０に示すように、図３〜図６と同じ工程の繰り返しにより、上層階の合成スラブ３を構築して行くことになる。尚、後打ち施工帯Ａ，Ａのコンクリート２０に強度が１００％発現したら、下層支保工８は撤去することができる。
【００３２】
上記の合成スラブ構築方法によれば、ハーフプレキャスト床版１に上方への初期むくりを付与しておき、ハーフプレキャスト床版１のスパン方向両端に後打ち施工帯Ａ，Ａを残存させた状態でコンクリート２を打設することにより、施工途中における合成スラブ端部をピン接合又は半剛接合とし、前記コンクリート２に所定の強度が発現した時点で、支保工８によるサポート荷重を除荷することによって、自重による合成スラブ３の変形を発生させた後、再度、合成スラブ３を支保工８でスパン中央部を突き上げないように支持し、前記後打ち施工帯Ａ，Ａにコンクリート２０を打設して、合成スラブ端部を剛接合とするので、次の作用効果が得られることになる。
【００３３】
即ち、後打ち施工帯Ａ，Ａを設けずに上部コンクリートを打設して、両端固定の架構を成立させる在来工法であれば、図１３の左側に示すように、スパン端部に、自重と、仕上げ荷重及び積載荷重の総和に起因する応力（端部モーメント）が生じるので、スパン端部に生じる応力が大きくなり、スラブ厚及びスラブを支持する柱や壁厚を厚くする必要がある。
【００３４】
しかしながら、上記の構成によれば、ハーフプレキャスト床版１のスパン方向両端に後打ち施工帯Ａ，Ａを残存させた状態でコンクリート２を打設するので、鉄筋コンクリート造の合成スラブ３であるにもかかわらず、施工途中における合成スラブ端部がピン接合又は半剛接合となり、自重に対しては端部ピン又は半剛接合で構造的に成立させるので、施工途中では、図１３の中央部に示すように、端部モーメントが原理的にゼロあるいは固定度に応じた応力に低減されることになる。
【００３５】
そして、前記コンクリート２に所定の強度が発現した時点で、換言すれば、ハーフプレキャスト床版１とその上部に現場打ちされたコンクリート２とが構造的に結合され、合成スラブとしてある程度機能する状態になった時点で、前記後打ち施工帯Ａ，Ａにコンクリート２０を打設して、合成スラブ端部を剛接合とするので、施工完了後の合成スラブ端部に生じる応力は、仕上げ荷重と積載荷重に起因するものだけになり、図１３の右側に示すように、スパン端部の応力が大幅に低減される。
【００３６】
従って、長大スパンであるにもかかわらずスラブ厚の薄い軽量な合成スラブ３を構築できることになる。また、合成スラブ３が軽量化されると共に、スパン端部の応力が低減されることによって、合成スラブ３を支持する壁や柱に生じる応力も小さくなり、これらの補強も軽微なもので済むことになる。これらの結果として、長大スパンの合成スラブ３を経済的に構築できるのであり、建物重量が大きくなることによる耐震性能の低下という問
題も回避できることになる。
【００３７】
また、後打ち施工帯Ａ，Ａを設けずに上部コンクリートを打設して、両端固定の架構を成立させる在来工法であれば、図１４の左側に示すように、自重と、仕上げ荷重及び積載荷重の総和に対するクリープ変形が一度に進展し、仕上げ後の変形によるひび割れ等が問題になるが、上記の構成によれば、支保工８の除荷によりクリープ変形を早期に進展させるようにしたので、図１４の右側に示すように、仕上げ後の変形（長期クリープ変形）を小さくでき、仕上げ後の変形によるひび割れ等を抑制できる。
【００３８】
即ち、ハーフプレキャスト床版１のスパン方向両端に後打ち施工帯Ａ，Ａを設けることにより、自重に対して両端ピン又は半剛接合で構造的に成立させると、スラブ端部の固定度が低減し、スラブ中央のたわみが大きくなる。しかし、上記の構成によれば、図１４の中央に示すように、ハーフプレキャスト床版１に上方への初期むくりを付与しておき、自重に対して両端ピン又は半剛接合で構造的に成立させた後、支保工８によるサポート荷重を除荷することによって、図１４の中央に示すように、スラブの弾性たわみを生じさせ、この状態を維持することで、自重に起因するクリープ変形（仕上げ前の変形）の大部分を進展させることができる。
【００３９】
そして、上層階のスラブコンクリート打設時の重量を支持するために、再度、合成スラブ３を支保工８でスパン中央部を突き上げないように支持した後、後打ち施工帯Ａ，Ａにコンクリート２０を打設して、合成スラブ端部を剛接合とした両端固定の架構を成立させ、しかる後、最終的に支保工８を撤去する。
【００４０】
従って、このときのクリープ変形は、仕上げ荷重と積載荷重に起因するものだけとなり、図１４の右側に示すように、仕上げ後の変形（長期クリープ変形）を低減することができ、仕上げ後の変形によるひび割れ等を抑制できるのである。殊に、合成スラブ端部を剛接合とした両端固定の架構を成立させるまで支保工８を存置させることによりクリープ変形が小さく抑えられることになる。
【００４１】
また、一旦、支保工８の除荷を行い、各階で構造的に成立させるため、支保工８で多層受けしても、上層スラブ重量が最下層の支保工８に累積しない。従って、支保工８を早期に撤去して、仕上げ開始時期を早めることが可能となる。
【図面の簡単な説明】
【００４２】
【図１】本発明に用いるハーフプレキャスト床版の一例を示す斜視図である。
【図２】合成スラブの縦断正面図である。
【図３】本発明に係る合成スラブの構築方法の説明図である。
【図４】図３に続く説明図である。
【図５】図４に続く説明図である。
【図６】図５に続く説明図である。
【図７】図６に続く説明図である。
【図８】図７に続く説明図である。
【図９】図８に続く説明図である。
【図１０】図９に続く説明図である。
【図１１】合成スラブ端部を半剛接合とする手段の説明図である。
【図１２】合成スラブ端部を半剛接合とする他の手段の説明図である。
【図１３】作用効果の説明図である。
【図１４】作用効果の説明図である。
【符号の説明】
【００４３】
Ａ  後打ち施工帯
１  ハーフプレキャスト床版
２  コンクリート
３  合成スラブ
４  ＰＣ鋼材
５  リブ
６  中空部成形用埋め込み型枠
７  壁型枠
８  支保工
９  打ち継ぎ型枠
１０ａ  スラブ上端主筋
１１  継ぎ目補強筋
１０ｂ，１２  配力筋
１３  壁コンクリート
２０  後打ち施工帯に打設されるコンクリート
【図１】
0005033645.tif 000002
【図２】
0005033645.tif 000003
【図３】
0005033645.tif 000004
【図４】
0005033645.tif 000005
【図５】
0005033645.tif 000006
【図６】
0005033645.tif 000007
【図７】
0005033645.tif 000008
【図８】
0005033645.tif 000009
【図９】
0005033645.tif 000010
【図１０】
0005033645.tif 000011
【図１１】
0005033645.tif 000012
【図１２】
0005033645.tif 000013
【図１３】
0005033645.tif 000014
【図１４】
0005033645.tif 000015